(57)【要約】【課題】降雨時の雨水を天板上の軒先側に向けて円滑に流下させることができ、ガーター材の凹溝に対する流れ込みを少なくすることで、漏水の発生を未然に防ぐことができる屋根葺材を提供する。【解決手段】天板２の両側縁に側板３と、前記天板２の上縁に内側接続部４と、前記天板２の下縁に、上記内側接続部４に対して外嵌する状態で接続する外側接続部５を設けて金属板製の外被材６を形成し、この外被材６における天板２の下面に断熱材７を設けた屋根葺材１ａにおいて、前記天板２の両側位置に、屋根の傾斜に沿った上下方向に長く連続し、上面側に突出する制水用のリブ２２が設けてある。【選択図】図２
2007056494.tif 000002
【特許請求の範囲】
【請求項１】
矩形状となる天板に、この天板の両側縁から垂下する側板と、前記天板の上縁から立ち上がり途中が外向きに屈曲する内側接続部と、前記天板の下縁から先端下がりに傾斜し、上記内側接続部に対して外嵌する状態で接続する外側接続部を設けて金属製の外被材を形成し、この外被材における天板の下面に断熱材を設けた屋根葺材において、
前記天板の両側位置に、屋根の傾斜に沿った上下方向に長く連続し、上面側に突出する制水用のリブを設けたことを特徴とする屋根葺材。
【発明の詳細な説明】
【技術分野】
【０００１】
この発明は、天板の両側縁に垂下する側板と上下に接続壁を設けた金属製外被材の下面に断熱材を固定して形成され、屋根下地の上面横方向に一定の間隔で固定したガーター材に外被材の両側を嵌め込み、上下の接続壁を外嵌する状態で接続して上下に葺設するようにした屋根葺材において、前記天板の上面における軒下側への雨水の流動性を向上させるようにした屋根葺材に関する。
【背景技術】
【０００２】
図７乃至図１２は、軽量で断熱性と施工性に優れ、優美で美しい仕上がりの金属屋根を構築することができる、従来の屋根葺材１を示し、横長の矩形状となる天板２に、この天板２の両側縁から直角に垂下する側板３と、前記天板２の屋根の傾斜に対して上側となる上縁に設けた内側接続部４と、前記天板２の下縁から先端下がりに傾斜する外側接続部５を設けて金属製の外被材６を形成し、この外被材６における天板の下面に断熱材７を設けた構造になっている。
【０００３】
図１１のように、上記内側接続部４は、天板２の上縁から斜め前方へ立ち上がった係合片８と、係合片８の上端から後方へ上部外向きに屈曲する傾斜片９と、傾斜片９の上端から外方に延びる延長片１０と、この延長片１０の先端から下向きに屈曲する垂下片１１からなる断面形状を有し、前記延長片１０の両端部は、図９のように、下面側に折り曲がって先端の水平部分に釘の打ち込み孔１２が設けられた固定片１３に加工されている。
【０００４】
また、上記外側接続部５は、天板２の下縁から先端下がりに傾斜する傾斜片１４と、この傾斜片１４の先端から内側に向けて屈曲する係合片１５と、係合片１５の先端に設けた折り返し片１６からなる断面形状を有し、図１１のように、葺設したときの上下の屋根葺材１は、内側接続部４の傾斜片９上に外側接続部５の傾斜片１４が重なり、両者の係合片８と１５が屋根の傾斜に対して上下及び上面方向に係合し、防水状の接続となる。
【０００５】
上記断熱材７は、スチレンフォーム等の発泡軽量材を用い、天板２の下面に接着固定され、上下に厚みがあり、かつ、外被材６の接続に支障のない範囲の大きさを有し、屋根の傾斜に対して上下方向に貫通する複数の貫通孔１７が並べて設けられ、屋根葺材１を上下に葺設したとき、各々の貫通孔１７が連通するようになっている。
【０００６】
上記のような屋根葺材１を用いて屋根を葺くには、図７のように、屋根下地の上面で横方向に一定の間隔でガーター材１８を釘の打ち込み等によって固定配置する。このガーター材１８は、図１２のごとく、断面凸形で上面に凹溝１９を設けた長い棒状に形成され、上半部外面を金属板の外被材２０にすると共に、外被材２０の内側及び下半部を断熱材２１とした構造になっている。
【０００７】
次に、両側のガーター材１８間の上部に屋根葺材１を臨ませ、屋根葺材１の両側の側板３をガーター材１８の凹溝１９に嵌め、断熱材７の下面を屋根下地上に重ね、内側接続部４に設けた固定片１３を釘の打ち込みによってガーター材１８の上に固定する。
【０００８】
なお、断熱材７の両側端部は、図１２のように、ガーター材１８の外面に適合する段付き形状になっている。
【０００９】
上記のようにして固定した屋根葺材１の屋根の傾斜に対して上方の位置に次の屋根葺材１を臨ませ、その外側接続部５を先の屋根葺材１における内側接続部４の傾斜片９上に被せて、両者の係合片８と１５を屋根の傾斜に対して上下及び上面方向に係合させ、この屋根葺材１は、両側の側板３をガーター材１８の凹溝１９に嵌め、断熱材７の下面を屋根下地上に重ね、内側接続部４に設けた固定片１３を釘の打ち込みによってガーター材１８の上に固定する。
【００１０】
図７に示すように、上記のようにして屋根葺材１を屋根下地の上面全体に葺設すれば、外被材６の天板２がガーター材１８の凹溝１９を介して横方向に並び、傾斜の上下方向には、この天板２が、内側接続部４と外側接続部５の接続部分で段差のある状態で軒先側が下がる傾斜状に並ぶ屋根が仕上がることになり、このような屋根は、優美で美しい仕上がりとなり、外被材６の下に厚みのある断熱材７があり、しかも、断熱材７は貫通孔１７によって空間を備えているので、軽量で断熱性と遮音性に優れた屋根となる。
【００１１】
上記のような屋根において、降雨時の雨水は天板２上を軒先側に流下するが、一部の雨水はガーター材１８の凹溝１９内を流れることになる。
【発明の開示】
【発明が解決しようとする課題】
【００１２】
ところで、上記のような屋根葺材１を葺設して形成された屋根は、降雨時の雨水が天板２上を軒先側に向けて円滑に流下するのが、漏水の発生を防止する上で好ましいが、従来の屋根葺材１では、外被材６の天板２が単なるフラットな板になっているので、雨水の流れを軒先側に向けて規制するものがなにもなく、雨水は風等の影響を受けて天板２上で横流れが生じ、ガーター材１８の凹溝１９に流れ込むことになり、多量の雨水が凹溝１９に流れ込むことで漏水の発生を招くことがあるという問題がある。
【００１３】
そこで、この発明の課題は、降雨時の雨水を天板上の軒先側に向けて円滑に流下させることができ、ガーター材の凹溝に対する流れ込みを少なくすることで、漏水の発生を未然に防ぐことができる屋根葺材を提供することにある。
【課題を解決するための手段】
【００１４】
上記のような課題を解決するため、この発明は、矩形状となる天板に、この天板の両側縁から垂下する側板と、前記天板の上縁から立ち上がり途中が外向きに屈曲する内側接続部と、前記天板の下縁から先端下がりに傾斜し、上記内側接続部に対して外嵌する状態で接続する外側接続部を設けて金属製の外被材を形成し、この外被材における天板の下面に断熱材を設けた屋根葺材において、前記天板の両側位置に、屋根の傾斜に沿った上下方向に長く連続し、上面側に突出する制水用のリブを設けた構成を採用したものである。
【００１５】
上記外被材は、チタン亜鉛合金、銅、アルミ等の金属系材料を用いて折り曲げ加工され、制水用のリブは、天板を上面に向けて打ち出し形成され、また、上記断熱材は、スチレンフォーム等の発泡軽量材を用い、天板の下面に接着固定され、上下に厚みがあり、かつ、屋根の傾斜に対して上下方向に貫通する複数の貫通孔が並べて設けられ、屋根葺材を上下に葺設したとき、各々の貫通孔が連通するようになっている。
【発明の効果】
【００１６】
この発明によると、外被材における天板の下面に断熱材を設けた屋根葺材において、前記天板の両側位置に、屋根の傾斜に沿った上下方向に長く連続し、上面側に突出する制水用のリブを設けたので、天板上を流れる雨水は両側のリブによって天板の両側端部へ向けての流出が阻止され、かつ、軒下側に向けて円滑に流下するよう誘導されることになり、屋根葺材の両側に位置するガーター材の凹溝に対する雨水の流れ込みを少なくすることで、漏水の発生を未然に防ぐことができる。
【発明を実施するための最良の形態】
【００１７】
以下、この発明の実施の形態を図示例に基づいて説明する。なお、背景技術の項と同一部分には同一符号を用いて説明すると共に、同一符号を付すことによって説明に代える。
【００１８】
図１乃至図６で示したように、この発明の屋根葺材１ａは、横長の矩形状となる天板２に、この天板２の両側縁から直角に垂下する側板３と、前記天板２の上縁に設けた内側接続部４と、前記天板２の下縁から先端下がりに傾斜する外側接続部５を設けて金属製の外被材６を形成し、この外被材６における天板２の両側位置に、屋根の傾斜に沿った上下方向に長く連続し、上面側に突出する制水用のリブ２２を設け、前記外被材６における天板２の下面に断熱材７を設けた構造になっている。
【００１９】
上記内側接続部４は、図５のように、天板２の上縁から斜め前方へ立ち上がった係合片８と、係合片８の上端から後方へ外向きに屈曲する傾斜片９と、傾斜片９の上端から外方に延びる延長片１０と、この延長片１０の先端から下向きに屈曲する垂下片１１からなる断面形状を有し、前記延長片１０の両端部は、下面側に折り曲がって先端の水平部分に釘の打ち込み孔１２が設けられた固定片１３に加工されている。
【００２０】
また、上記外側接続部５は、天板２の下縁から先端下がりに傾斜する傾斜片１４と、この傾斜片１４の先端から内側に向けて屈曲する係合片１５と、係合片１５の先端に設けた折り返し片１６からなる断面形状を有し、葺設したときの上下の屋根葺材１は、内側接続部４の傾斜片９上に外側接続部５の傾斜片１４が重なり、両者の係合片８と１５が屋根の傾斜に対して上下及び上面方向に係合し、防水状の接続となる。
【００２１】
上記した外被材６は、チタン亜鉛合金、銅、アルミ等の金属系材料を用いて折り曲げ加工され、その天板２の両側位置に設けたリブ２２は、天板２を上面に向けて打ち出し加工することによって、図２（ｂ）のように、上面が扁平な突起や半円形の断面形状に形成されている。
【００２２】
上記断熱材７は、スチレンフォーム等の発泡軽量材を用い、天板２の下面に接着固定され、上下に厚みがあり、かつ、外被材６の接続に支障のない範囲の大きさを有し、屋根の傾斜に対して上下方向に貫通する複数の貫通孔１７が並べて設けられ、図５のように、内側接続部４と外側接続部５の接続部分において、前後の端面が互に接触するように天板２に固定され、貫通孔１７の部分は、前後の端面が嵌まる弧状の凹凸面に形成され、屋根葺材１を上下に葺設したとき、各々の貫通孔１７が連通するようになっている。
【００２３】
この発明の屋根葺材１ａは上記のような構成であり、この屋根葺材１ａを用いて屋根を葺くには、図１のように、屋根下地の上面で横方向に一定の間隔でガーター材１８を釘の打ち込み等によって固定配置する。
【００２４】
次に、両側のガーター材１８間に屋根葺材１ａを臨ませ、両側の側板３をガーター材１８の凹溝１９に嵌め、断熱材１７の下面を屋根下地上に重ね、内側接続部４に設けた固定片を釘の打ち込みによってガーター材１８の上に固定する。
【００２５】
上記のようにして固定した屋根葺材１ａの屋根の傾斜に対して上方の位置に次の屋根葺材１ａを臨ませ、図５のように、その外側接続部５を先の屋根葺材１ａにおける内側接続部４の傾斜片９の上に被せて、両者の係合片８と１５を屋根の傾斜に対して上下及び上面方向に係合させ、この屋根葺材１ａは、両側の側板３をガーター材１８の凹溝１９に嵌め、断熱材１７の下面を屋根下地上に重ね、内側接続部４に設けた固定片を釘の打ち込みによってガーター材１８の上に固定する。
【００２６】
このようにして、屋根葺材１ａを屋根下地の上面全体に葺設すれば、外被材６の天板２が凹溝１９を介して横方向に並び、上下方向には天板２が内側接続部４と外側接続部５の接続部分で段差のある状態で軒先側が下がる傾斜状に並ぶ屋根が仕上がることになり、このような屋根は、優美で美しい仕上がりとなり、外被材６の下に厚みのある断熱材７があり、しかも、断熱材７は貫通孔１７によって空間を備えているので、軽量で断熱性と遮音性に優れたものとなる。
【００２７】
上記のような屋根において、降雨時の雨水は天板２上を軒先側に流下し、一部の雨水はガーター材１８の凹溝１９内を流れることになるが、図１のように、外被材６における天板２の両側位置に、屋根の傾斜に沿った上下方向に長く連続し、上面側に突出する制水用のリブ２２を設けてあるので、天板２上を流れる雨水は両側のリブ２２によって天板２の両側端部へ向けての流出が阻止され、かつ、軒下側に向けて円滑に流下するよう誘導されることになり、これによって屋根葺材１の両側に位置するガーター材１８の凹溝１９に対する雨水の流れ込みを少なくすることで、漏水の発生を未然に防ぐことができる。
【図面の簡単な説明】
【００２８】
【図１】この発明の屋根葺材を用いた屋根構造の分解斜視図
【図２】（ａ）は屋根葺材を屋根傾斜の軒先側の位置から見た斜視図、（ｂ）は天板に設けたリブの拡大断面図
【図３】屋根葺材を屋根傾斜の上側位置から見た斜視図
【図４】屋根葺材を裏側から見上げた斜視図
【図５】屋根葺材の上下接続部分の構造を示す拡大した縦断側面図
【図６】屋根葺材の両側接続部分の構造を示す拡大した縦断正面図
【図７】従来の屋根葺材を用いた屋根構造の分解斜視図
【図８】従来の屋根葺材を屋根傾斜の軒先側の位置から見た斜視図
【図９】従来の屋根葺材を屋根傾斜の上側位置から見た斜視図
【図１０】従来の屋根葺材を裏側から見上げた斜視図
【図１１】従来の屋根葺材の上下接続部分の構造を示す拡大した縦断側面図
【図１２】従来の屋根葺材の両側接続部分の構造を示す拡大した縦断正面図
【符号の説明】
【００２９】
１        屋根葺材
１ａ      屋根葺材
２        天板
３        側板
４        内側接続部
５        外側接続部
６        外被材
７        断熱材
８        係合片
９        傾斜片
１０      延長片
１１      垂下片
１２      釘の打ち込み孔
１３      固定片
１４      傾斜片
１５      係合片
１６      折り返し片
１７      貫通孔
１８      ガーター材
１９      凹溝
２０      外被材
２１      断熱材
２２      リブ
【図１】
2007056494.tif 000003
【図２】
2007056494.tif 000004
【図３】
2007056494.tif 000005
【図４】
2007056494.tif 000006
【図５】
2007056494.tif 000007
【図６】
2007056494.tif 000008
【図７】
2007056494.tif 000009
【図８】
2007056494.tif 000010
【図９】
2007056494.tif 000011
【図１０】
2007056494.tif 000012
【図１１】
2007056494.tif 000013
【図１２】
2007056494.tif 000014